(57)【要約】【課題】広視野角で、また表示の帯色がほとんど無く、しかも応答速度の速い液晶表示素子を提供する。【解決手段】対向する面それぞれに電極４，５が形成された一対の基板２，３間に非ツイストのホモジニアス配向液晶層１１が設けられ、前記電極４，５間への電圧の印加により前記液晶層１１の液晶分子１１ａの立ち上がり角を制御して透過光の偏光状態を変化させるホモジニアス配向型液晶素子１と、このホモジニアス配向型液晶素子１を挟んで配置された一対の偏光板１２，１３と、前記ホモジニアス配向型液晶素子１と一対の偏光板１２，１３との間にそれぞれ配置されたディスコティック液晶からなる一対の視野角改善用光学フィルム１４，１５と、前記ホモジニアス配向型液晶素子１と一対の偏光板１２，１３との間の一方に配置された表示の帯色を補正するための位相差板１６とを備えた。【選択図】図１
2005114749.tif 000002
【特許請求の範囲】
【請求項１】
対向する面それぞれに電極が形成された一対の基板間に非ツイストのホモジニアス配向液晶層が設けられ、前記電極間への電圧の印加により前記液晶層の液晶分子の基板面に対する立ち上がり角を制御して透過光の偏光状態を変化させるホモジニアス配向型液晶素子と、
前記ホモジニアス配向型液晶素子を挟んで配置された一対の偏光板と、
前記ホモジニアス配向型液晶素子と前記一対の偏光板との間にそれぞれ配置されたディスコティック液晶からなる一対の視野角改善用光学フィルムと、
前記ホモジニアス配向型液晶素子と前記一対の偏光板との間の少なくとも一方に配置された表示の帯色を補正するための少なくとも１枚の位相差板と、
を備えることを特徴とする液晶表示素子。
【請求項２】
位相差板は、一対の視角改善用光学フィルムの少なくとも一方とその光学フィルム側の偏光板との間、あるいは、ホモジニアス配向型液晶素子と一対の視角改善用光学フィルムの少なくとも一方との間に配置されていることを特徴とする請求項１に記載の液晶表示素子。
【請求項３】
２０ｎｍ〜５０ｎｍの範囲の位相差を有する１枚の位相差板を備え、この位相差板は、その遅相軸を、ホモジニアス配向型液晶素子の液晶分子配向方向と実質的に平行な方向に向けて配置されていることを特徴とする請求項１に記載の液晶表示素子。
【請求項４】
１０ｎｍ〜２５ｎｍの範囲の位相差を有する２枚の位相差板を備え、これらの位相差板は、ホモジニアス配向型液晶素子と一対の偏光板の一方との間及び前記液晶素子と他方の偏光板との間にそれぞれ、その遅相軸を、前記ホモジニアス配向型液晶素子の液晶分子配向方向と実質的に平行な方向に向けて配置されていることを特徴とする請求項１に記載の液晶表示素子。
【発明の詳細な説明】
【技術分野】
【０００１】
この発明は液晶表示素子に関する。
【背景技術】
【０００２】
液晶表示素子としては、対向する面それぞれに電極が形成された一対の基板間にツイスト配向液晶層が設けられ、前記電極間への電圧の印加により前記液晶層の液晶分子の基板面に対する立ち上がり角を制御して透過光の偏光状態を変化させるツイスト配向型液晶素子と、前記ツイスト配向型を挟んで配置された一対の偏光板とからなるＴＮ（ツイステッド・ネマティック）型のものが広く利用されているが、このＴＮ型の液晶表示素子は、表示の視野角が狭い。
【０００３】
そのため、前記ツイスト配向型液晶素子と前記一対の偏光板との間にそれぞれディスコティック液晶からなる一対の視野角改善用光学フィルムを配置することにより、表示の視野角を広くすることが考えられている（特許文献１参照）。
【特許文献１】特開平１０―０３９２８５号公報
【発明の開示】
【発明が解決しようとする課題】
【０００４】
しかし、ツイスト配向型液晶素子と前記一対の偏光板との間にそれぞれディスコティック液晶からなる一対の視野角改善用光学フィルムを配置したＴＮ型液晶表示素子は、視野角は広くなるが、表示に帯色を生じる。
【０００５】
また、ＴＮ型の液晶表示素子は、応答速度が遅く、高時分割駆動が難しい。
【０００６】
この発明は、広視野角で、また表示の帯色がほとんど無く、しかも応答速度の速い液晶表示素子を提供することを目的としたものである。
【課題を解決するための手段】
【０００７】
この発明の液晶表示素子は、対向する面それぞれに電極が形成された一対の基板間に非ツイストのホモジニアス配向液晶層が設けられ、前記電極間への電圧の印加により前記液晶層の液晶分子の基板面に対する立ち上がり角を制御して透過光の偏光状態を変化させるホモジニアス配向型液晶素子と、前記ホモジニアス配向型液晶素子を挟んで配置された一対の偏光板と、前記ホモジニアス配向型液晶素子と前記一対の偏光板との間にそれぞれ配置されたディスコティック液晶からなる一対の視野角改善用光学フィルムと、前記ホモジニアス配向型液晶素子と前記一対の偏光板との間の少なくとも一方に配置された表示の帯色を補正するための少なくとも１枚の位相差板とを備えることを特徴とする。
【０００８】
この発明の液晶表示素子において、前記位相差板は、前記一対の視角改善用光学フィルムの少なくとも一方とその光学フィルム側の偏光板との間に配置しても、あるいは、前記ホモジニアス配向型液晶素子と前記一対の視角改善用光学フィルムの少なくとも一方との間に配置してもよい。
【０００９】
また、この発明の液晶表示素子においては、２０ｎｍ〜５０ｎｍの範囲の位相差を有する１枚の位相差板を備え、この位相差板を、その遅相軸を前記ホモジニアス配向型液晶素子の液晶分子配向方向と実質的に平行な方向に向けて配置するか、あるいは、１０ｎｍ〜２５ｎｍの範囲の位相差を有する２枚の位相差板を備え、これらの位相差板を、その遅相軸を前記ホモジニアス配向型液晶素子の液晶分子配向方向と実質的に平行な方向に向けて、前記ホモジニアス配向型液晶素子と前記一対の偏光板の一方との間及び前記液晶素子と他方の偏光板との間にそれぞれ配置するのが好ましい。
【発明の効果】
【００１０】
この発明の液晶表示素子は、ホモジニアス配向型液晶素子とこの液晶素子を挟んで配置された一対の偏光板との間にそれぞれ、ディスコティック液晶からなる一対の視野角改善用光学フィルムを配置し、さらに、前記ホモジニアス配向型液晶素子と前記一対の偏光板との間の少なくとも一方に表示の帯色を補正するための少なくとも１枚の位相差板を配置しているため、表示の視野角が広く、また表示の帯色がほとんど無い。
【００１１】
しかも、この液晶表示素子は、前記ホモジニアス配向型液晶素子の液晶層の液晶分子が、電極間への電圧の印加により、初期のホモジニアス配向状態から基板面に対して立ち上がるように配向状態を変えるため、応答速度が速く、したがって高時分割駆動が可能である。
【００１２】
この発明の液晶表示素子において、前記表示の帯色を補正するための位相差板は、前記一対の視角改善用光学フィルムの少なくとも一方とその光学フィルム側の偏光板との間に配置しても、あるいは、前記ホモジニアス配向型液晶素子と前記一対の視角改善用光学フィルムの少なくとも一方との間に配置してもよく、いずれの場合も、広視野角で、帯色がほとんど無い表示を得ることができる。
【００１３】
また、この発明の液晶表示素子においては、２０ｎｍ〜５０ｎｍの範囲の位相差を有する１枚の位相差板を備え、この位相差板を、その遅相軸を前記ホモジニアス配向型液晶素子の液晶分子配向方向と実質的に平行な方向に向けて配置するか、あるいは、１０ｎｍ〜２５ｎｍの範囲の位相差を有する２枚の位相差板を備え、これらの位相差板をあるいは、１０ｎｍ〜２５ｎｍの範囲の位相差を有する２枚の位相差板を備え、これらの位相差板を、その遅相軸を前記ホモジニアス配向型液晶素子の液晶分子配向方向と実質的に平行な方向に向けて、前記ホモジニアス配向型液晶素子と前記一対の偏光板の一方との間及び前記液晶素子と他方の偏光板との間にそれぞれ配置するのが好ましく、このようにすることにより、表示の帯色をより効果的に無くすことができる。
【発明を実施するための最良の形態】
【００１４】
（実施形態１）
図１及び図２はこの発明の第１の実施例を示しており、図１は液晶表示素子の分解斜視図、図２は前記液晶表示素子の一部分の断面図である。
【００１５】
この実施例の液晶表示素子は、図１及び図２に示したように、ホモジニアス配向型液晶素子１と、前記ホモジニアス配向型液晶素子１を挟んで配置された一対の偏光板１２，１３と、前記液晶素子１と一対の偏光板１２，１３との間にそれぞれ配置されたディスコティック液晶からなる一対の視野角改善用光学フィルム１４，１５と、前記ホモジニアス配向型液晶素子１と前記一対の偏光板１２，１３との間の一方に配置された表示の帯色を補正するための１枚の位相差板１６とを備えている。
【００１６】
前記ホモジニアス配向型液晶素子１は、図２に示したように、互いに対向する観察側（図において上側）及びその反対側の一対の透明基板２，３と、前記一対の基板２，３の対向する内面それぞれに形成され、互いに対向する領域により複数の画素を形成する透明電極４，５と、前記一対の基板２，３の一方、例えば観察側の基板２の内面に前記複数の画素にそれぞれ対応させて設けられた赤、緑、青の３色のカラーフィルタ７Ｒ，７Ｇ，７Ｂと、前記一対の基板２，３間に、液晶分子１１ａを分子長軸を一方向に揃えてホモジニアス配向させた非ツイストのホモジニアス配向液晶層１１とにより構成されている。
【００１７】
この液晶素子１は、観察側基板２の内面に一枚膜状の対向電極４を設け、反対側基板３の内面に複数の画素電極５を行方向及び列方向にマトリックス状に配列させて設けたアクティブマトリックス液晶素子であり、前記複数の画素電極５は、前記反対側基板３の内面に設けられた複数のＴＦＴ６にそれぞれ接続されている。
【００１８】
なお、図２では前記ＴＦＴ６を簡略化して示しているが、このＴＦＴ６は反対側基板３の基板面に形成されたゲート電極と、このゲート電極を覆って前記基板３の略全体に形成された透明なゲート絶縁膜と、前記ゲート絶縁膜の上に前記ゲート電極と対向させて形成されたｉ型半導体膜と、前記ｉ型半導体膜の両側部の上にｎ型半導体膜を介して形成されたソース電極及びドレイン電極とからなっている。
【００１９】
また、図２では省略しているが、前記反対側基板３の内面には、各行のＴＦＴ６にゲート信号を供給する複数のゲート配線と、各列のＴＦＴ６にデータ信号を供給する複数のデータ配線が設けられており、前記ゲート配線は、反対側基板３の基板面に前記ＴＦＴ６のゲート電極と一体に形成されて前記ゲート絶縁膜により覆われ、前記データ配線は、前記ゲート絶縁膜の上に形成され、前記ＴＦＴ６のドレイン電極につながっている。
【００２０】
そして、前記複数の画素電極５は、前記ゲート絶縁膜の上に形成され、前記ＴＦＴ６のソース電極に接続されている。
【００２１】
一方、観察側基板２の内面に設けられた赤、緑、青の３色のカラーフィルタ７Ｒ，７Ｇ，７Ｂは、前記観察側基板２の基板面に形成されており、その上に、前記３色のカラーフィルタ７Ｒ，７Ｇ，７Ｂのうち、赤色フィルタ７Ｒが設けられた画素（以下、赤色画素と言う）の液晶層厚ｄ１と、緑色フィルタ７Ｇが設けられた画素（以下、緑色画素と言う）の液晶層厚ｄ２と、青色フィルタ７Ｂが設けられた画素（以下、青色画素と言う）の液晶層厚ｄ３とを、ｄ１＞ｄ２＞ｄ３の関係に設定するための透明な液晶層厚調整膜９が設けられ、この液晶層厚調整膜９の上に前記対向電極４が形成されている。
【００２２】
さらに、前記観察側とその反対側の一対の基板３の内面にはそれぞれ、前記電極４，５を覆って水平配向膜９，１０が形成されており、これらの基板２，３の内面、つまり前記水平配向膜９，１０の膜面は、実質的に平行で且つ互いに逆方向にラビング処理されている。図１において、矢印２ａは観察側基板２の内面のラビング方向、矢印２ａは反対側基板３の内面のラビング方向を示している。
【００２３】
そして、前記一対の基板２，３は、前記複数の画素がマトリックス状に配列する表示エリアを囲む枠状のシール材（図示せず）を介して接合されており、これらの基板２，３間の前記シール材により囲まれた領域に、誘電異方性が正の液晶材料（例えばネマティック液晶）が充填されて液晶層１１が形成されている。
【００２４】
この液晶層１１の液晶分子１１ａは、前記一対の基板２，３面のラビング方向２ａ，３ａに沿った方向に分子長軸を揃えてホモジニアス配向しており、前記複数の画素の電極４，５間への電圧の印加により、前記基板２，３面に対して立ち上がるように配向状態を変える。
【００２５】
すなわち、前記ホモジニアス配向型液晶素子１は、前記複数の画素の電極４，５間への電圧の印加により前記液晶層１１の液晶分子１１ａの基板２，３面に対する立ち上がり角を制御して透過光の偏光状態を変化させる。
【００２６】
そして、この実施例では、前記液晶層厚調整膜９を、前記赤色画素の液晶層厚ｄ１と、緑色画素の液晶層厚ｄ２と、青色画素の液晶層厚ｄ３とがそれぞれ、ｄ１＝約４．２μｍ、ｄ２＝約４．０μｍ、ｄ３＝約３．７μｍになる膜厚に形成するとともに、前記液晶層１１を屈折率異方性ΔｎがΔｎ＝０．０７３の液晶材料により形成し、前記赤色画素の液晶層１１のΔｎｄ１の値を約３０６．６ｎｍ、前記緑色画素の液晶層１１のΔｎｄ２の値を約２９２．０ｎｍ、前記青色画素の液晶層１１のΔｎｄ３を約２７０．１ｎｍに設定している。
【００２７】
なお、前記赤、緑、青の各色画素の液晶層厚ｄ１，ｄ２，ｄ３は、前記液晶層厚調整膜９を設ける代わりに、赤、緑、青の各色のカラーフィルタ７Ｒ，７Ｇ，７Ｂの厚さを異ならせて上記のように設定してもよい。
【００２８】
一方、前記一対の偏光板１２，１３はそれぞれ、互いに直交する方向に透過軸（図示せず）と吸収軸１２ａ，１３ａを有する吸収偏光板であり、これらの偏光板１２，１３のうち、観察側の偏光板１２は、その吸収軸１２ａを前記液晶素子の観察側基板２の内面のラビング方向２ａに対して実質的に４５°の角度で斜めに交差させて配置され、観察側とは反対側の偏光板１３は、その吸収軸１３ａを前記観察側偏光板１２の透過軸１２ａと実質的に直交させて配置されている。
【００２９】
また、前記ディスコティック液晶からなる一対の視野角改善用光学フィルム１４，１５は、その構造は図示しないが、円板状のディスコティック液晶分子を、そのチルト方向を一方向に揃え、且つ前記フィルムの一方の面から他方の面に向かって徐々にチルト角が大きくなるように配列させてポリマー化させた液晶ポリマーフィルムであり、前記ディスコティック液晶分子の円板状の面に垂直な分子軸の向きを平均した方向に屈折率が最小となる光学軸１４ａ，１５ａを有する負の光学的異方性をもっている。
【００３０】
そして、この一対の視野角改善用光学フィルム１４，１５のうち、観察側の光学フィルム１４は、その光学軸１４ａを、前記液晶素子１の一対の基板２，３のラビング方向２ａ，３ａと実質的に平行で、前記観察側偏光板１２の吸収軸１２ａに対して実質的に４５°の角度で斜めに交差する方向に向けて配置され、前記観察側とは反対側の光学フィルム１５は、その光学軸１５ａを、前記反対側偏光板１３の吸収軸１３ａと実質的に平行、つまり前記観察側光学フィルム１４の光学軸１４ａと実質的に平行で、且つ前記観察側光学フィルム１４の光学軸１４ａの向きとは逆向きの方向に向けて配置されている。
【００３１】
さらに、表示の帯色を補正するための位相差板１６は、２０ｎｍ〜５０ｎｍの範囲の位相差を有しており、前記ホモジニアス配向型液晶素子１と前記一対の偏光板１２，１３との間の一方、例えば、前記液晶素子１の観察側とは反対側に、前記反対側の視野角改善用光学フィルム１５と偏光板１３との間に位置させて、この位相差板１６の遅相軸１６ａを、前記ホモジニアス配向型液晶素子１の液晶分子１１ａの配向方向、つまり一対の基板２，３のラビング方向２ａ，３ａと実質的に平行な方向に向けて配置されている。
【００３２】
この液晶表示素子は、その観察側とは反対側に配置される図示しない面光源からの照明光を利用して表示するものであり、前記面光源からの照明光は、反対側偏光板１３により直線偏光とされて入射し、前記位相差板１６の位相差と、反対側の視野角改善用光学フィルム１５の光学的異方性とにより偏光状態を変えて前記ホモジニアス配向型液晶素子１に入射する。
【００３３】
前記ホモジニアス配向型液晶素子１に入射した光は、その各画素の電極４，５間への電圧の印加により基板２，３面に対して立ち上がり配向する液晶分子１１ａの配向状態に応じて偏光状態を変え、前記赤、緑、青の３色のカラーフィルタ７Ｒ，７Ｇ，７Ｂにより着色されて液晶素子１の観察側に出射する。
【００３４】
そして、液晶素子１の観察側に出射した光は、観察側の視野角改善用光学フィルム１４の光学的異方性により偏光状態を変えて観察側偏光板１２に入射し、その光のうち、前記観察側偏光板１２の吸収軸１２ａに平行な直線偏光成分が吸収され、前記観察側偏光板１２の透過軸に平行な直線偏光成分がこの偏光板１２を透過して観察側に出射する。
【００３５】
この液晶表示素子のノーマリーホワイトモードの表示を行なうものであり、前記電極４，５間への印加電圧を実質的に０Ｖとしたとき、つまり液晶分子１１ａが初期のホモジニアス配向状態に配向したときの光の透過率が最も高く、その画素の表示が赤、緑、青のいずれかの色の明表示になる。
【００３６】
そして、この液晶表示素子の透過率は、印加電圧を高くするのにともなって、つまり液晶分子１１ａが基板２，３面に対して立ち上がり配向するのにともなって低くなり、液晶分子１１ａがある立ち上がり角で配向したときに、透過率が最も低くなり、その画素の表示が黒表示になる。
【００３７】
この液晶表示素子は、前記ホモジニアス配向型液晶素子１とこの液晶素子１を挟んで配置された一対の偏光板１２，１３との間にそれぞれ、ディスコティック液晶からなる一対の視野角改善用光学フィルム１４，１５を配置し、さらに、前記ホモジニアス配向型液晶素子１と前記一対の偏光板１２，１３との間の少なくとも一方（この実施例では反対側の視野角改善用光学フィルム１５と偏光板１３との間）に表示の帯色を補正するための前記位相差板１６を配置しているため、表示の視野角が広く、また表示の帯色がほとんど無い。
【００３８】
この実施例では、上述したように、２０ｎｍ〜５０ｎｍの範囲の位相差を有する１枚の位相差板１６を備え、この位相差板１６を、その遅相軸１６ａを前記ホモジニアス配向型液晶素子１の液晶分子配向方向（一対の基板２，３のラビング方向２ａ，３ａ）と実質的に平行な方向に向けて配置しているため、表示の帯色、特に黒表示の帯色をより効果的に無くすことができる。
【００３９】
図３は、前記液晶表示素子の赤色画素における赤の波長帯域の中心波長である６５０ｎｍの波長光の電圧―透過率特性と、緑色画素における緑の波長帯域の中心波長である５５０ｎｍの波長光の電圧―透過率特性と、青色画素における青の波長帯域の中心波長である４５０ｎｍの波長光の電圧―透過率特性とを示しており、（ａ）は前記位相差板１６の位相差を２０ｎｍとしたときの特性、（ｂ）は前記位相差板１６の位相差を３０ｎｍとしたときの特性、（ｃ）は前記位相差板１６の位相差を４０ｎｍとしたときの特性、（ｄ）は前記位相差板１６の位相差を５０ｎｍとしたときの特性である。
【００４０】
図３（ａ）〜（ｄ）のように、前記液晶表示素子は、高電圧側における６５０ｎｍ、５５０ｎｍ、４５０ｎｍの各波長光の透過率変化曲線のずれが充分小さく、したがって、黒表示の帯色が効果的に軽減される。
【００４１】
なお、前記高電圧側における６５０ｎｍ、５５０ｎｍ、４５０ｎｍの各波長光の透過率変化曲線のずれは、前記位相差板１６の位相差を大きくするのにともなって小さくなるが、前記位相差板１６の位相差を大きくするほど黒表示電圧が高くなる。
【００４２】
そのため、この実施例では、前記位相差板１６の位相差を２０ｎｍ〜５０ｎｍの範囲にしており、この範囲であれば、図３（ａ）〜（ｄ）に示したように、あまり印加電圧を高くしなくても黒表示が得られるため、消費電力の節減の面で有利である。
【００４３】
しかも、この液晶表示素子は、前記ホモジニアス配向型液晶素子１の液晶層１１の液晶分子１１ａが、電極４，５間への電圧の印加により、初期のホモジニアス配向状態から基板２，３面に対して立ち上がるように配向状態を変えるため、応答速度が速く、したがって高時分割駆動が可能である。
【００４４】
なお、上記第１の実施例では、表示の帯色を補正するための位相差板１６を、ホモジニアス配向型液晶素子１の観察側とは反対側に、前記反対側の視野角改善用光学フィルム１５と偏光板１３との間に位置させて配置しているが、この位相差板１６は、前記液晶素子１と前記反対側の視野角改善用光学フィルム１５との間に配置しても、あるいは、前記液晶素子１の観察側に、前記観察側の視野角改善用光学フィルム１４と偏光板１２との間、あるいは前記液晶素子１と前記観察側の視野角改善用光学フィルム１４との間に位置させて配置してもよく、その場合も、前記位相差板１６の位相差を２０ｎｍ〜５０ｎｍの範囲にし、この位相差板１６の遅相軸１６ａを、前記ホモジニアス配向型液晶素子１の液晶分子配向方向と実質的に平行にすることにより、表示の帯色（特に黒表示の帯色）をより効果的に無くすことができる。
【００４５】
（実施形態２）
図４はこの発明の第２の実施例を示す液晶表示素子の分解斜視図であり、この実施例の液晶表示素子は、表示の帯色を補正するための２枚の位相差板１７，１８を備え、これらの位相差板１７，１８を、ホモジニアス配向型液晶素子１と一対の偏光板１２，１３の一方１２との間及び前記液晶素子１と他方の偏光板１３との間、例えば観察側の視野角改善用光学フィルム１４と偏光板１２との間及び反対側の視野角改善用光学フィルム１５と偏光板１３との間にそれぞれ配置したものである。
【００４６】
なお、この実施例において、ホモジニアス配向型液晶素子１は上述した第１の実施例のものと同じであり、また、観察側及びその反対側の一対の偏光板１２，１３及び視野角改善用光学フィルム１４，１５とその配置状態も第１の実施例と同じであるから、重複する説明は図に同符号を付して省略する。
【００４７】
この実施例において、前記２枚の位相差板１７，１８は、上記第１の実施例における１枚の位相差板１６の実質的に１／２の位相差、つまり１０ｎｍ〜２５ｎｍの範囲の位相差を有する位相差板であり、これらの位相差板１７，１８はそれぞれ、その遅相軸１７ａ，１８ａを前記ホモジニアス配向型液晶素子１の液晶分子配向方向（一対の基板２，３のラビング方向２ａ，３ａ）と実質的に平行な方向に向けて配置されている。
【００４８】
この液晶表示素子は、前記ホモジニアス配向型液晶素子１とこの液晶素子１を挟んで配置された一対の偏光板１２，１３との間にそれぞれ、ディスコティック液晶からなる一対の視野角改善用光学フィルム１４，１５を配置し、さらに、前記ホモジニアス配向型液晶素子１と前記一対の偏光板１２，１３との間（この実施例では観察側の視野角改善用光学フィルム１４と偏光板１２との間及び反対側の視野角改善用光学フィルム１５と偏光板１３との間）にそれぞれ表示の帯色を補正するための位相差板１７，１８配置しているため、表示の視野角が広く、また表示の帯色がほとんど無い。
【００４９】
この実施例では、上述したように、１０ｎｍ〜２５ｎｍの範囲の位相差を有する２枚の位相差板１７，１８を備え、これらの位相差板１７，１８を、その遅相軸１７ａ，１８ａを前記ホモジニアス配向型液晶素子１の液晶分子配向方向と実質的に平行な方向に向けて配置しているため、表示の帯色、特に黒表示の帯色をより効果的に無くすことができる。
【００５０】
しかも、この液晶表示素子は、前記ホモジニアス配向型液晶素子１の液晶層１１の液晶分子１１ａが、電極４，５間への電圧の印加により、初期のホモジニアス配向状態から基板２，３面に対して立ち上がるように配向状態を変えるため、応答速度が速く、したがって高時分割駆動が可能である。
【００５１】
なお、上記第２の実施例では、表示の帯色を補正するための２枚の位相差板１７，１８を、観察側の視野角改善用光学フィルム１４と偏光板１２との間及び反対側の視野角改善用光学フィルム１５と偏光板１３との間にそれぞれ配置しているが、前記２枚の位相差板１７，１８は、ホモジニアス配向型液晶素子１と観察側の視野角改善用光学フィルム１４との間及び前記液晶素子１と反対側の視野角改善用光学フィルム１５との間にそれぞれ配置してもよく、その場合も、前記２枚の位相差板１７，１８の位相差をそれぞれ１０ｎｍ〜２５ｎｍの範囲にし、これらの位相差板１７，１８の遅相軸１７ａ，１８ａを、前記ホモジニアス配向型液晶素子１の液晶分子配向方向と実質的に平行にすることにより、表示の帯色（特に黒表示の帯色）をより効果的に無くすことができる。
【図面の簡単な説明】
【００５２】
【図１】この発明の第１の実施例を示す液晶表示素子の分解斜視図。
【図２】前記液晶表示素子の一部分の断面図。
【図３】前記液晶表示素子の６５０ｎｍ、５５０ｎｍ、４５０ｎｍの各波長光の電圧―透過率特性図。
【図４】この発明の第２の実施例を示す液晶表示素子の分解斜視図。
【符号の説明】
【００５３】
１…ホモジニアス配向型液晶素子、２，３…基板、２ａ，３ａ…ラビング方向、４，５…電極、６…ＴＦＴ、７Ｒ，７Ｇ，７Ｂ…カラーフィルタ、１１…液晶層、１１ａ…液晶分子、１２，１３…偏光板、１２ａ，１３ａ…透過軸、１４，１５…視野角改善用光学フィルム、１４ａ，１５ａ…光学軸、１６，１７，１８…位相差板、１６ａ，１７ａ，１８ａ…遅相軸。
【図１】
2005114749.tif 000003
【図２】
2005114749.tif 000004
【図３】
2005114749.tif 000005
【図４】
2005114749.tif 000006